(57)【要約】【課題】ワイアレス・ネットワークにおける低データ・レート・トラフィックの早期打ち切り。【解決手段】ワイアレス通信に関係するシステム及び技術、そしてより具体的に、ワイアレス・ネットワークにおける低データ・レート・トラフィックの早期打ち切りのためのシステム及び技術が、開示される。物理レイヤ・パケット（ＰＬＰ）グループ化係数Ｋは、ＰＬＰをＫ個のグループに構成し、そしてＡＣＫ／ＮＡＣＫが各グループにおいて受信される。【選択図】図１
2007526724.tif 000002
【特許請求の範囲】
【請求項１】
データ送信の方法、該方法は下記を具備する：
１個のメッセージを整数ｋ個のグループに構成すること、ここにおいて、各グループは、トラフィック・チャネル・データを備える；
１個のグループを送信すること；
ＡＣＫチャネルでＡＣＫ／ＮＡＣＫを受信すること；及び
ＮＡＣＫがＡＣＫチャネルで受信された場合に、別の１個のグループを送信すること。
【請求項２】
請求項１の方法、ここにおいて、各グループは、同じトラフィック・チャネル・データを含む。
【請求項３】
請求項２の方法、ここにおいて、１個のグループは、送信パワーの一部分で送信される。
【請求項４】
請求項３の方法、ここにおいて、該ｋの値は、チャネル状態の関数である。
【請求項５】
請求項４の方法、ここにおいて、該ｋの値は、ｋ番目のグループがデコードされる時間までに訂正されることができるエラーなしで、トラフィック・データがデコードされるように決定される。
【請求項６】
下記を具備するワイアレス端末：
１個のメッセージを整数ｋ個のグループに構成するための手段、ここにおいて、各グループは、トラフィック・チャネル・データを備える；
１個のグループを送信するための手段；
ＡＣＫチャネルでＡＣＫ／ＮＡＣＫを受信するための手段；及び
ＮＡＣＫがＡＣＫチャネルで受信された場合に、別の１個のグループを送信するための手段。
【請求項７】
請求項６のワアレス端末、ここにおいて、各グループは、同じトラフィック・チャネル・データを含む。
【請求項８】
請求項７のワイアレス端末、ここにおいて、１個のグループは、送信パワーの一部分で送信される。
【請求項９】
請求項８のワイアレス端末、ここにおいて、該ｋの値は、チャネル状態の関数である。
【請求項１０】
請求項９のワイアレス端末、ここにおいて、該ｋの値は、ｋ番目のグループがデコードされる時間までに訂正されることができるエラーなしで、トラフィック・データがデコードされるように決定される。
【請求項１１】
下記を具備するワイアレス端末：
１個のメッセージを整数ｋ個のグループに構成するためのコントローラ、ここにおいて、各グループは、トラフィック・チャネル・データを備える；
ＡＣＫ／ＮＡＣＫを受信するための受信機；及び
そのグループで受信されなかったＡＣＫを与えるトラフィック・チャネル・データを備える１個のグループを送信するための送信機。
【請求項１２】
請求項１１のワイアレス端末、ここにおいて、各グループは、同じトラフィック・チャネル・データを含む。
【請求項１３】
請求項１２のワイアレス端末、ここにおいて、１個のグループは、送信パワーの一部分で送信される。
【請求項１４】
請求項１３のワイアレス端末、ここにおいて、該ｋの値は、チャネル状態の関数である。
【請求項１５】
請求項１４のワイアレス端末、ここにおいて、該ｋの値は、ｋ番目のグループがデコードされる時間までに訂正されることができるエラーなしで、トラフィック・データがデコードされるように決定される。
【請求項１６】
コンピュータ・プログラムによって実行可能な命令のプログラムを組み込んでいるコンピュータ読み取り可能な媒体、前記コンピュータ読み取り可能な媒体は下記を具備する：
１個のメッセージを整数ｋ個のグループに構成するためのコンピュータ読み取り可能なプログラム・コード手段、ここにおいて、各グループは、トラフィック・チャネル・データを備える；
１個のグループを送信するためのコンピュータ読み取り可能なプログラム・コード手段；
ＡＣＫチャネルでＡＣＫ／ＮＡＣＫを受信するためのコンピュータ読み取り可能なプログラム・コード手段；及び
ＮＡＣＫがＡＣＫチャネルで受信された場合に、別の１個のグループを送信するためのコンピュータ読み取り可能なプログラム・コード手段。
【発明の詳細な説明】
【技術分野】
【０００１】
本明細書は、一般にワイアレス通信に係り、そしてより具体的に、ワイアレス・ネットワークにおける低データ・レート・トラフィックの早期打ち切りのための種々のシステム及び技術に関する。
【背景技術】
【０００２】
従来のワイアレス通信において、アクセス・ネットワークは、一般に、多数の移動デバイスに対する通信をサポートするために採用される。アクセス・ネットワークは、一般的に地理的な領域全体にわたって分散された複数の固定サイト基地局を用いて与えられる。地理的な領域は、一般にセルとして知られるより小さな領域に細分化される。各基地局は、自身のそれぞれのセル内の移動デバイスを取り扱うように構成されることができる。トラフィック要求が異なるセルラ領域にまたがって変化している場合に、アクセス・ネットワークは、容易に再構成されないことがある。
【０００３】
従来のアクセス・ネットワークと対照的に、アド−ホック・ネットワークは、ダイナミックである。多数のワイアレス通信デバイス、しばしば端末と呼ばれる、がネットワークを形成するために一緒になる時に、アド−ホック・ネットワークは形成される。アド−ホック・ネットワーク中の端末は、ホスト又はルータのいずれとしてでも動作できる。それゆえ、アド−ホック・ネットワークは、より効率的な方式で現在のトラフィック要求を満足するように容易に再構成されることができる。その上、アド−ホック・ネットワークは、従来のアクセス・ネットワークによって必要とされるインフラストラクチャを必要とせず、アド−ホック・ネットワークを将来に対する魅力的な選択肢にする。
【０００４】
ウルトラ・ワイドバンド（ＵＷＢ：Ultra-Wideband）は、アド−ホック・ネットワークを用いて与えられることができる通信技術の一例である。ＵＷＢは、広いバンド幅を介して高速通信を提供する。同時に、ＵＷＢ信号は、非常にわずかな電力しか消費しない非常に短いパルスで送信される。ＵＷＢ信号の出力パワーは、非常に低いので他のＲＦ技術に対してノイズのように見え、干渉をより少なくさせる。
【０００５】
より多くの端末が、アクセス・ネットワークに追加されると、アクセス・ネットワークが従来のネットワークであるか又はアド−ホック・ネットワークであるかどうかに拘らず、追加された端末は、その端末が通信している端末の他の端末に対してより多くの干渉を生じさせる。それゆえ、別の端末通信との干渉を避けるために、送信を制限することが望ましい。
【発明の開示】
【０００６】
［サマリー］
本発明の１態様では、データ送信の方法は、１個のメッセージを整数ｋ個のグループに構成すること、ここにおいて、各グループは、トラフィック・チャネル・データを備える、１個のグループを送信すること、ＡＣＫチャネルでＡＣＫ／ＮＡＣＫを受信すること、及びＮＡＣＫがＡＣＫチャネルで受信された場合に、別の１個のグループを送信すること、を含む。
【０００７】
本発明の別の１態様では、ワイアレス端末は、１個のメッセージを整数ｋ個のグループに構成するための手段、ここにおいて、各グループは、トラフィック・チャネル・データを備える、１個のグループを送信するための手段、ＡＣＫチャネルでＡＣＫ／ＮＡＣＫを受信するための手段、及びＮＡＣＫがＡＣＫチャネルで受信された場合に、別の１個のグループを送信するための手段、を含む。
【０００８】
本発明のさらに別の１態様では、ワイアレス端末は、１個のメッセージを整数ｋ個のグループに構成するためのコントローラ、ここにおいて、各グループは、トラフィック・チャネル・データを備える、ＡＣＫ／ＮＡＣＫを受信するための受信機、及びそのグループで受信されなかったＡＣＫを与えるトラフィック・チャネル・データを備えるグループを送信するための送信機、を含む。
【０００９】
本発明のさらなる１態様では、コンピュータ・プログラムによって実行可能な命令のプログラムを組み込んでいるコンピュータ読み取り可能な媒体は、１個のメッセージを整数ｋ個のグループに構成するために、ここにおいて、各グループは、トラフィック・チャネル・データを備える、１個のグループを送信するために、ＡＣＫチャネルでＡＣＫ／ＮＡＣＫを受信するために、及びＮＡＣＫがＡＣＫチャネルで受信された場合に、別の１個のグループを送信するために、使用されることができる。
【００１０】
本発明のその他の実施形態が、以下の詳細な説明からこの分野に知識のあるものにとって容易に実現されるであろうことが、理解される。詳細な説明では、本発明の種々の実施形態が実例として示され、説明される。理解されるように、本発明は、その他の実施形態及び異なる実施形態に可能であり、そしてそのいくつかの詳細は、本発明の精神及び範囲から全て逸脱しないで、種々の他の関連する変形を可能にする。したがって、図面及び詳細な説明は、本質的に例示として見なされるべきであり、制限するものではない。
【００１１】
［詳細な説明］
本発明の複数の態様は、添付した図面において、限定するためではなく、例として説明される。
【００１２】
添付された図面とともに以下に記載される詳細な説明は、本発明の種々の実施形態の説明として意図されており、その実施形態の中で本発明が実行されることができる実施形態だけを表すために意図されていない。本明細書中に記載された各実施形態は、本発明の単に一例又は説明として提供され、そしてその他の実施形態よりも好ましい又は有利であると必ずしも解釈されるべきではない。詳細な説明は、本発明の完全な理解を提供する目的のために具体的な詳細を含む。しかしながら、本発明がこれらの具体的な詳細を用いずに実行されることができることは、当業者にとって明らかであろう。ある複数の例では、周知の構造及びデバイスは、本発明の概念を不明瞭にすることを避けるためにブロック図形式で示される。頭文字の略語及びその他の説明のための用語は、単に利便性及び明確性のために使用されることがあり、本発明の範囲を限定することを意図しない。
【００１３】
用語“具体例の”は、“例、事例、又は実例として働くこと”を意味するように本明細書中ではもっぱら使用される。“具体例の“として本明細書中で記載されたいずれかの実施形態が、その他の実施形態に対して好ましい又は優位であるとして解釈される必要はない。
【００１４】
数多くの多元アクセス技術が、ネットワークにおいて同時通信をサポートするために存在する。例として、周波数分割多元アクセス（ＦＤＭＡ：Frequency Division Multiple Access）方式は、非常に一般的な技術である。ＦＤＭＡは、一般的に、アド−ホック・ネットワーク中の２つの端末間の個別の複数の通信に全バンド幅の異なる複数の部分を割り当てることを伴う。この方式は中断しない通信のために効果的であるが、そのような一定で中断しない通信が必要とされない場合に、全バンド幅のより良い利用が実現されることがある。
【００１５】
別の多元アクセス方式は、時間分割多元アクセス（ＴＤＭＡ：Time Division Multiple Access）を含む。これらのＴＤＭＡ方式は、中断しない通信を必要としない複数の端末の間で限られたバンド幅を割り当てる際に特に効果的であることがある。ＴＤＭＡ方式は、一般的に、指定された時間インターバルで２つの端末間の各通信チャネルに全体のバンド幅を専用に分け与える。
【００１６】
コード分割多元アクセス（ＣＤＭＡ：Code Division Multiple Access）技術は、ＴＤＭＡ技術とともに使用されることができて、各時間インターバルの間に複数の通信をサポートする。これは、キャリアを変調し、そしてそれによって信号のスペクトルを拡散させる異なるコードを用いて指定された時間インターバルにおいて各通信又は信号を送信することによって実現されることができる。送信された信号は、デモジュレータによって受信機端末において分離されることができ、デモジュレータは、所望の信号を逆拡散するために対応するコードを使用する。そのコードが符合しない望まれない信号は、バンド幅中で逆拡散されずそしてノイズとしてだけ寄与する。
【００１７】
通信のアップリンク及びダウンリンクの両者に対して１つのバンドだけである場合に、２つの端末（ユーザ）間の情報の伝達は、時間分割デュープレックスされる（ＴＤＤｅｄ：time division duplexed）必要がある。
【００１８】
以下の詳細な説明では、本発明の種々の態様が、時間分割デュープレックス（ＴＤＤ）ワイアレス通信システムの関係において説明されることがある。これらの発明的態様が、このアプリケーションでの使用のために好適であるが、これらの発明的態様が各種のその他の通信環境における使用のために同様に適用可能であることを、当業者は、容易に認識するであろう。したがって、ＴＤＤ通信システムに対するいずれかの参照は、そのような発明的態様が広範囲のアプリケーションを有することを理解するとともに、発明的態様を説明することだけを意図している。
【００１９】
図１は、アクセス・ネットワークにおいて使用されることができる端末を図示する。図９に示されたように、端末は、送信機９０１、受信機９０３、アンテナ９０５，エンコーダ９０７、デコーダ９０９、ルーティング・テーブル９１１、コントローラ９１３、サーチャ９１５、パイロット発生器９１７、ＰＮ発生器９１９、メモリ９２１、ロケータ９２３及びユーザ・インターフェース９２５を含むことができる。
【００２０】
送信機９０１は、アンテナ９０５へコントローラ９１３から受け取った情報を送信できる。受信機９０３は、アンテナ９０５から情報を受信でき、そしてコントローラ９１３にそれを伝える。エンコーダ９０７は、送信のために情報をエンコードでき、再びコントローラ９１３の制御の下で動作する。エンコーダ９０７は、周波数エンコーディング、位相エンコーディング、時間エンコーディング、アドレス・エンコーディング又はスペクトル拡散エンコーディングのような、この技術において公知のいずれかのエンコーディング技術を使用できる。
【００２１】
１つの実施形態では、エンコーダ９０７は、ソース・コーディング及び物理レイヤ・コーディングを備える。ソース・コーディングは、例えば、音声、データ、及びビデオをエンコーディングすることを含むが、これらに限定されない。物理レイヤ・コーディングは、例えば、チャネル・コーディング、インターリービング、及び変調を含むが、これらに限定されない。チャネル・コーディングは、ターボ・コーディングを含むが、これに限定されない。
【００２２】
時間分割デュープレックス機能は、エンコーディング機能とともに又はそれなしで使用されることができる。同様に、エンコーディング機能は、時間分割デュープレックス機能を用いて又は用いないで使用されることができる。
【００２３】
デコーダ９０９は、コントローラ９１３の制御の下で受信機９０３から受け取った情報をデコードできる。エンコーダを用いたように、デコーダ９０９は、周波数、位相、時間、アドレス、又は拡散スペクトル・コードに基づいて情報をデコードできる。
【００２４】
ルーティング・テーブル９１１は、ルーティング情報を記憶するために使用されることができ、そしてそこではルーティングがルーティング・テーブルに関係して達成されるこれらの実施形態において使用されることができる。
【００２５】
パイロット・サーチャ９１５は、コントローラ９１３の制御の下で受信機９０３によって受信された情報とともに使用されることができて、パイロットについての受信した情報を検索する。
【００２６】
パイロット発生器９１７は、コントローラ９１３の制御の下で、送信機９０１によって送信されるパイロットを発生させるために使用されることができる。
【００２７】
ＰＮ発生器９１９は、１又はそれより多くのＰＮ系列コードを発生させるために使用されることができる。ＰＮ系列コードは、全てが上記により詳細に説明されたように、コントローラ９１３の制御の下で使用されることができて、別の端末に対する情報を拡散し、別の端末からの情報を逆拡散し、その間に端末が送信しそして受信する時間を制御し、そしてその間にリンクされた端末が情報を受信するようにスケジュールされる時間を決定する。
【００２８】
ロケータ９２３は、端末の位置を決定できる。それは、ＧＰＳ受信機を含むことができる。代わりに、磁気的な位置決定技術を使用することができる、又は端末によって受信される１又はそれより多くの信号に基づいて位置を決定することができる。その他の位置決定技術が、同様に使用されることができる。
【００２９】
ユーザ・インターフェース９２５は、端末とその端末のユーザとの間の通信を容易にする。ユーザ・インターフェースは、１又はそれより多くの入力デバイスを含むことができ、例えば、キーボード、マウス、タッチ・スクリーン、マイクロフォン、カメラ又は別の１つのシステムとの通信リンクである。同様に、ユーザ・インターフェースは、１又はそれより多くの出力デバイスを含むことができ、例えば、ディスプレイ、ラウドスピーカ、ヘッドセット又は別の１つのシステムとの通信リンクである。
【００３０】
メモリ９２１は、コントローラ及び／又は端末の他の構成要素によって使用されることができて、恒久的に及び／又は一時的に、端末によって必要とされる情報を記憶する、例えば、ユーザ・インターフェースからの情報、ユーザ・インターフェースに対する情報、位置情報、ＰＮコード、パイロット情報、ルーティング情報、エンコーディング情報及び／又はデコーディング情報である。
【００３１】
端末は、増設構成要素を含むことができる及び／又は図１に関係して上に説明された構成要素の全てを含まないことができる。例えば、ネットワーク上の１又はそれより多くの端末は、ユーザ・インターフェースを含まないはずであり、そしてそれゆえデータをシンクしない又は供給しないはずであるが、単に転送端末として動作する及び／又はネットワーク上の別の端末に他の通信サービスを提供する。
【００３２】
端末は、しかもパワー制御システムを含むことができ、送信される信号のパワー・レベルを制御する。そのようなシステムは、オープン・ループであることがあり、そして目的端末から受信された信号の強度に基づいて目的端末へのパワー・レベルを設定する。そのようなシステムは、クローズド・ループであることがあり、そして別の１つの端末、例えば、そのパワー・レベルが設定されようとしている端末から信号を受信している端末、によって設定されるべき端末のパワー・レベルを与えることができる。これらのアプローチの組み合わせも、同様に使用されることができる。
【００３３】
ワイアレス・ネットワークにおける複数の端末間の低レート・データ・トラフィックは、ソース端末から宛て先端末へ送信するために多くの時間ピリオドを要することがある。例えば、音声フレームは、低ビット・レート（毎秒Ｒｂキロ・ビット）でランし、そして多くの数のスロットを占有する。１フレームは、複数のスロットを備える。１スロットは、複数のビットを備える。
【００３４】
１つの実施形態では、ボコーダからの固定長音声フレームは、より短い期間の複数のスロットに分割される。複数の端末間の音声データは、ボコーダによってコード化されそしてデコードされ、ボコーダは、本技術において公知のいずれかのボコーダ・プロトコルを利用することができる。
【００３５】
多元アクセス通信において、送信されるべき全数のスロットの一部分だけの良好な受信で送信が打ち切られるように送信を要求している端末によって、干渉は低減される。打ち切り要請は、ＡＣＫチャネルを介して伝達される。
【００３６】
１つの実施形態では、受領通知（ＡＣＫ）は、オーバーヘッドを削減するために、一方で同時にかなりの能力のゲインを与えるためにスロット毎のベースよりはむしろスロットのグループ上で送られる。
【００３７】
データ送信を容易にするために、順方向リンクは、１つの実施形態では４つの時間マルチプレックスされたチャネル：パイロット・チャネル、パワー制御チャネル、トラフィック・チャネル、及び制御チャネル、を備える。１つの実施形態では、順方向リンク・パイロット・チャネルは、パイロット信号を与え、これは、初期捕捉、位相回復、タイミング回復、そして統合のために端末によって使用される。１つの実施形態では、パイロット信号は、同様に、キャリア対干渉（Ｃ／Ｉ：carrier-to-interference）測定を実行するために端末によって使用される。
【００３８】
ワイアレス・システムが受信したデータを肯定的受領通知（ＡＣＫ）するため又は否定的受領通知（ＮＡＣＫ）するために制御チャネルを使用する場合に、制御チャネルは、受領通知チャネルとも呼ばれる。１つの実施形態では、ＡＣＫチャネルは、制御チャネルのサブセットである。他の１つの実施形態では、ＡＣＫチャネルは、制御チャネルとは別のチャネルである。
【００３９】
順方向リンクは、ソース端末から宛て先端末への送信を呼び、そして逆方向リンクは、宛て先端末からソース端末への送信を呼ぶ。
【００４０】
低レートで物理レイヤ・パケットを送信することは、著しく長時間を要する（複数のスロットを必要とする）ことがあり、それによってネットワークにおける干渉を増加させる。この干渉は、グループの形式で複数の端末間でデータを交換することによって低減されることができる、ここにおいて、各パケットは、複数のグループを備え、そして各グループは、複数のスロットを備える。
【００４１】
各グループは、関連するＡＣＫ／ＮＡＣＫを有する。ＡＣＫ／ＮＡＣＫは、ＡＣＫチャネル上で送信される、これは受信機がパケットを良好にデコードできた場合に、受信機が残りのパケットのグループを送信することを停止するように送信機に知らせることを可能にする。
【００４２】
１つの実施形態では、物理レイヤ・パケット（ＰＬＰ：physical layer packet）は、２つのチャネル：（１）オーバーヘッド及び（２）ペイロード又はトラフィック、に区分される。１つの実施形態では、オーバーヘッド・チャネルは、パイロット・チャネル、制御チャネル、ＡＣＫチャネル及びパワー制御チャネルを含む。
【００４３】
ＰＬＰグルーピング係数Ｋ（Ｋ  ε整数）は、ＰＬＰをＫ個のグループに構成し、各グループは同じメッセージを有する。１つの実施形態では、２つの端末間で情報を交換する方法は、Ｋ＝１に設定することであり、そして１個のグループの中に全体のオーバーヘッド及びペイロードを有するＰＬＰを構築する。この場合には、全体のパケットが送信されるので、パケット送信は、早期に打ち切られることができない。
【００４４】
Ｋの別の値（Ｋ＞１）を選択することによって、オリジナルのパケットは、各グループがオーバーヘッド・チャネルを有するＫ個のグループに構成される。各グループは、オリジナルの１個のグループ・パケットと同数のスロットを有しそしてトラフィック・スロットのオリジナルの数の１／Ｋを有する。例えば、１個のグループとして構成されたメッセージ２０２及び時間分割マルチプレックスされたシステムのために２個のグループとして構成された同じメッセージ２０４が、図２に示される。この状況では、メッセージとパケットは、互換的に使用される。
【００４５】
１個のグループとして、すなわちＫ＝１で、構成されたメッセージ２０２は、Ｍｏｖ個のオーバーヘッド・スロット２０６及びＭｔｃｈ個のトラフィック・スロット２０８を有する。その上、メッセージ２０２は、グループ・インディケータ（ＧＩ：group indicator）２１０を有する、これはＭｇｉ個のスロットを有しそしてメッセージに関するグループの数を指示する。
【００４６】
２個のグループとして、すなわちＫ＝２で、構成されたメッセージ２０４は、２個のグループ２１２，２１４を有し、各グループはＭｏｖ個のオーバーヘッド・スロット２１６，２１８及びＭｔｃｈ／２個のトラフィック・スロット２２０，２２２を有する。その上、メッセージ２０４は、グループ・インディケータ（ＧＩ）２２４を有する、これはＭｇｉ個のスロットを有しそしてメッセージに関するグループの数を指示する。
【００４７】
１個のグループでメッセージ２０４が送られるのであれば送信されるはずの送信パワーの一部分で、メッセージ２０４は、両方のトラフィック・スロット２２０，２２２において送信される。１つの実施形態では、複数のグループは、１／Ｋの送信パワーで送信される。一部分のパワーで１個のグループを送信することは、他の端末に対するより少ない干渉を意味する。
【００４８】
メッセージが１個のグループとして構成されるか又は２個のグループとして構成されるかに拘らず、オーバーヘッドは、一定のままで留まる。オーバーヘッドの量は、パイロット・パワー要求のために必要な量になるはずであり、そしてＡＣＫチャネル及びパワー制御チャネルの送信のために必要な量になるはずである。１個のグループのためのオーバーヘッドの割合は、次式のように計算されることができる：
％ＯＶ＝１００＊（Ｋ＊Ｍｏｖ）／（Ｋ＊Ｍｏｖ＋Ｍｔｃｈ）                （１）
１つの実施形態では、Ｋの値は、全体のシステム要求によって設定されたオーバーヘッドしきい値を超えないように選択される。１つの実施形態では、Ｋに対する値は、グループ・インディケータ（ＧＩ）チャネルと呼ばれるＰＬＰ中のチャネルを導入することによってパケット毎のベースでダイナミックに調節されることができる。例えば、Ｋが１から４までの任意の整数値を取ることができる場合に、ＧＩチャネルは、Ｋの４つの値のうちの１つを指示するために２ビットからなることがある。
【００４９】
Ｋの値が最適化されるので、ネットワーク内の全体の干渉が低減される。Ｋの最適値は、チャネル状態の関数である。例えば、Ｍｔｃｈ／４個のスロットで訂正されることができるエラーなしで全体のパケットがデコードされることができるように、パケット中のＭｔｃｈ個のトラフィック・スロット及びチャネル状態が与えられると、その時はＫの最適値は、４であることができる。Ｋを決定するための機能が、パラメータを最適化するためにこの技術において公知の任意の統計的方法であることが可能なことは、当業者に明白である。
【００５０】
１つの実施形態では、Ｋの最適値は、パケットに関する情報がパケットをデコードするために１個のグループで受信機によって取得されるのに丁度十分な程度のものである。Ｋを最適化することは、パケット送信の期間を短縮する、その理由は、全体のパケットをデコードするために十分な情報が受信機によって一旦取得されると、パケット送信がされるためである。１個のメッセージをＫ個のグループに構成することは、送信機へＡＣＫを送るためのより多くの機会を受信機に与え、そして１個のメッセージが複数のグループに構成されなかった場合であるよりも早く送信機がパケット送信を打ち切ることを可能にする。
【００５１】
１個のメッセージを複数のグループに構成しないことは、そのメッセージが複数のグループに構成された場合であるよりも送信がより長くなるという結果になる。Ｋの最適値よりも多くの数の複数のグループに１個のメッセージを構成することは、結果としてより多くの再送信になり、そしてそれゆえ他の端末により多くの干渉を引き起こす。そのように、パケットの早期打ち切りと複数のグループを送信しなければならないこととの間にＫについての値の選択におけるトレードオフがある。
【００５２】
図３は、チャネルの時間分割マルチプレキシングを採用する１実施形態にしたがって端末ノードＢ３０２と通信している端末ノードＡ３００を示す。図３は、端末ノードＡ３００と端末ノードＢ３０２との間のデータのスロットの交換を示す。
【００５３】
図３に示されたように、グループの数Ｋは、３である、すなわち、メッセージは３個のグループで送信されることができる。１個のメッセージは、端末ノードＡ３００から端末ノードＢ３０２にトラフィック・データの３個のグループで送られる。１個のメッセージは、端末ノードＢ３０２から端末ノードＡ３００にトラフィック・データの３個のグループのうちの２個で送られる。
【００５４】
図３に示されたようにＭｔｃｈ個のスロットは、複数の端末ノード間で送られるメッセージが１個のグループとして送られたと仮定した場合のスロットの数Ｍｔｃｈの１／３である。メッセージが１個のグループで送信されたと仮定した場合の送信パワーの一部分で、メッセージは、トラフィック・スロットに送信される。
【００５５】
端末ノードＡ３００は、第１のタイム・ピリオドの間に端末ノードＢに第１のスロットのグループＧ１  ３０４を送る。第１のタイム・ピリオドは、０ｓ  ３０６からＴｇ３０８までである。スロットのグループＧ１Ａ３０９は、パイロット・チャネルのためのＭｐｃｈ個のスロット３１０、トラフィック・チャネルのためのＭｔｃｈ個のスロット３１２、そしてＡＣＫチャネル及びパワー制御チャネルのためのＭａｃｋ個のスロット３１４を含む。始めに、端末ノードＡ３００は、端末ノードＢにＡＣＫチャネルでＮＡＫ３１６を送る。
【００５６】
端末ノードＢ３０２は、第２のタイム・ピリオドの間に端末ノードＢ３０２に第１のスロットのグループＧ１Ｂ３１８を送る。第２のタイム・ピリオドは、Ｔｇ３０８から２Ｔｇ３２０までである。スロットのグループＧ１Ｂ３１８は、パイロット・チャネルのためのＭｐｃｈ個のスロット３２２、トラフィック・チャネルのためのＭｔｃｈ個のスロット３２４、そしてＡＣＫチャネル及びパワー制御チャネルのためのＭａｃｋ個のスロット３２６を含む。端末ノードＢ３０２がトラフィック・チャネル・データ３１２のデコーディングの際にエラーを検出すると仮定して、端末ノードＢ３０２は、端末ノードＡ３００にＮＡＫ３２８を送る。
【００５７】
１つの実施形態では、グループ・インディケータは、最後のグループＧ３  ３５０のＡＣＫチャネルにおいて送信される。グループ・インディケータがソース・ノードから宛て先ノードへのいずれかのグループの部分として構成されることができることは、当業者にとって明らかなはずである。
【００５８】
同様に、グループ・インディケータが１個のグループのいずれかのチャネルの部分として構成されることができることも、当業者にとって明らかなはずである。さらに、別のチャネルが１個のグループの部分であることは、当業者にとって明らかなはずである。例えば、ガード・チャネルが、各グループに含まれることができる。明確にする目的で、最も重要なチャネルのあるものだけが、図３に示される。
【００５９】
端末ノードＡ３００は、第３のタイム・ピリオドの間に端末ノードＢにスロットのグループＧ２  ３３０を送る。第３のタイム・ピリオドは、２Ｔｇ３２０から３Ｔｇ３３２までである。スロットのグループＧ２Ａ３３４は、パイロット・チャネルのためのＭｐｃｈ個のスロット３３６、トラフィック・チャネルのためのＭｔｃｈ個のスロット３３８、そしてＡＣＫチャネル及びパワー制御チャネルのためのＭａｃｋ個のスロット３４０を含む。端末ノードＡ３００がトラフィック・チャネル・データ３２４のデコーディングの際にエラーを検出すると仮定して、端末ノードＡ３００は、端末ノードＢ３０２にＮＡＫ３３６’を送る。
【００６０】
端末ノードＢ３０２は、第４のタイム・ピリオドの間に端末ノードＡ３００にスロットのグループＧ２Ｂ３３８を送る。第４のタイム・ピリオドは、３Ｔｇ３３２から４Ｔｇ３４０までである。スロットのグループＧ２Ｂ３３８は、パイロット・チャネルのためのＭｐｃｈ個のスロット３４２、トラフィック・チャネルのためのＭｔｃｈ個のスロット３４４、そしてＡＣＫチャネル及びパワー制御チャネルのためのＭａｃｋ個のスロット３４６を含む。端末ノードＢ３０２がトラフィック・チャネル・データ３３８のデコーディングの際にエラーを検出すると仮定して、端末ノードＢ３０２は、端末ノードＡ３００にＮＡＫ３４８を送る。
【００６１】
端末ノードＡ３００は、第５のタイム・ピリオドの間に端末ノードＢにスロットのグループＧ３  ３５０を送る。第５のタイム・ピリオドは、４Ｔｇ３４０から５Ｔｇ３５２までである。スロットのグループＧ３Ａ３５４は、パイロット・チャネルのためのＭｐｃｈ個のスロット３５６、トラフィック・チャネルのためのＭｔｃｈ個のスロット３５８、そしてＡＣＫチャネル及びパワー制御チャネルのためのＭａｃｋ個のスロット３６０を含む。端末ノードＡ３００がトラフィック・チャネル・データ３４４のデコーディングの際にエラーを検出しないと仮定して、端末ノードＡ３００は、端末ノードＢ３０２にＡＣＫ３６２を送る。
【００６２】
１つの実施形態にしたがって、端末ノードＡ３００は、トラフィック・チャネル・デコーディング時間Ｔｄ３６２の間に端末ノードＢ３０２からのトラフィック・チャネル３４４をデコードする。トラフィック・チャネル・デコーディング時間Ｔｄ３６６は、端末ノードＢ３０２が端末ノードＡ３００にトラフィック・チャネル・データ３４４を送り終わるおおよその時刻から、端末ノードＡ３００が端末ノードＢ３０２にトラフィック・チャネル・データ３５８を送り終わるおおよその時刻３６４までのタイム・ピリオドである。
【００６３】
端末ノードＡ３００が端末ノードＢ３０２にＡＣＫ３６２’を送るので、端末ノードＢ３０２は、端末ノードＡ３００にトラフィック・データの最後のグループを送らない。その結果、そのピリオドにおいて端末ノードＢ３０２が、端末ノードＡからのＮＡＫを受け取った場合にトラフィック・データを送るが、ＡＣＫが受け取られる時に何のトラフィックも送られない時間のピリオドは、干渉のないピリオド３６４’である。干渉のないピリオド３６４’の間、端末ノードＢ３０２から端末ノードＡ３００に何のトラフィック・データも送られない、これは他の端末に対して干渉を与えることがある。
【００６４】
端末ノードＢ３０２は、第６のタイム・ピリオドの間に端末ノードＡ３００にスロットのグループＧ３Ａ３６６’を送る。第６のタイム・ピリオドは、５Ｔｇ３５２から６Ｔｇ３６８までである。スロットのグループＧ３Ｂ３６６’は、パイロット・チャネルのためのＭｐｃｈ個のスロット３７０、そしてＡＣＫチャネル及びパワー制御チャネルのためのＭａｃｋ個のスロット３７２を含む。端末ノードＢ３０２がトラフィック・チャネル・データ３５８のデコーディングの際にエラーを検出しないと仮定して、端末ノードＢ３０２は、端末ノードＡ３００にＡＣＫ３７４を送る。
【００６５】
端末ノードＢ３０２は、ＡＣＫ／ＮＡＫデコーディング時間Ｔｋの間に端末ノードＡから自身が受け取るＡＣＫ／ＮＡＣＫをデコードする、ＡＣＫ／ＮＡＫデコーディング時間Ｔｋは、端末ノードがＡＣＫ／ＮＡＣＫを受け取る時刻とその端末ノードがトラフィック・チャネル・データを送り始めるはずの時刻との間である。
【００６６】
図４は、１個のグループとして構成されたメッセージ４０２、及びコード分割マルチプレックスされた（ＣＤＭ）システムのために２個のグループとして構成された同じメッセージ４０４を示す。１個のグループとして、すなわちＫ＝１で、構成されたメッセージ４０２は、Ｍｔｃｈ個のトラフィック・スロット４０６を有する。トラフィック・チャネルＴＣＨ４０８は、割り当てられた送信パワーＰｔｃｈ４１０を有する。オーバーヘッド・チャネルＯＶ４１２は、割り当てられた送信パワーＰｏｖ４１４を有する。グループ・インディケータ（ＧＩ）チャネル４１６は、割り当てられた送信パワーＰｇｉ４１８を有する。図４の送信パワーは、正確な縮尺で描かれていない。横軸４２０は、時間であり、そして縦軸４２２は、マルチプレックスされたコードである。
【００６７】
２個のグループとして、すなわちＫ＝２で、構成されたメッセージ４０４は、２個のグループ４３０，４３２を有し、各グループはＭｔｃｈ／２個のトラフィック・スロット４３４，４３６を有する。トラフィック・チャネル４３８，４４０は、それぞれ割り当てられた送信パワーＰｔｃｈ４４２，４４４を有する。オーバーヘッド・チャネル４４６，４４８は、それぞれ割り当てられた送信パワーＰｏｖ４５０，４５２を有する。グループ・インディケータ（ＧＩ）チャネル４５４，４５６は、それぞれ割り当てられた送信パワーＰｇｉ４５８，４６０を有する。
【００６８】
図５は、チャネルのコード分割マルチプレキシングを採用する１実施形態にしたがって端末ノードＢ５０２と通信している端末ノードＡ５００を示す。図５は、端末ノードＡ５００と端末ノードＢ５０２との間のデータのスロットの交換を示す。
【００６９】
図５に示されたように、グループの数Ｋは、３である、すなわち、メッセージは３個のグループで送信されることができる。１個のメッセージは、端末ノードＡ５００から端末ノードＢ５０２へトラフィック・データの３個のグループで送られる。１個のメッセージは、端末ノードＢ５０２から端末ノードＡ５００へトラフィック・データの３個のグループのうちの２個で送られる。
【００７０】
図３に示されたようにＭｔｃｈ個のスロットは、複数の端末ノード間で送られる複数のメッセージが１個のグループとして送られたと仮定した場合のスロットの数Ｍｔｃｈの１／３である。メッセージが１個のグループで送信されたと仮定した場合の送信パワーの一部分で、メッセージは、トラフィック・スロットに送信される。
【００７１】
端末ノードＡ５００は、第１のタイム・ピリオドの間に端末ノードＢに第１のスロットのグループＧ１  ５０４を送る。第１のタイム・ピリオドは、０ｓ  ５０６からＴｇ５０８までである。第１のスロットのグループＧ１Ａ５００は、トラフィック・チャネルのためのＭｔｃｈ個のスロット５１０を含む。トラフィック・チャネルＴＣＨ５１２は、送信パワーＰｔｃｈ５１４を有する。パイロット・チャネルＰＣＨ５１６は、送信パワーＰｐｃｈ５１８を有する。ＡＣＫ／パワー制御チャネル５２０は、送信パワーＰａｃｋ５２２を有する。始めに、端末ノードＡ５００は、端末ノードＢにＡＣＫチャネルでＮＡＫ５２４を送る。
【００７２】
端末ノードＢ５０２は、第２のタイム・ピリオドの間に端末ノードＢ３０２に第１のスロットのグループＧ１Ｂ５２６を送る。第２のタイム・ピリオドは、Ｔｇ５０８から２Ｔｇ５２８までである。スロットのグループＧ１Ｂ５２６は、トラフィック・チャネルＴＣＨ５３２のためのＭｔｃｈ個のスロット５３０含む。トラフィック・チャネルＴＣＨ５３２は、送信パワーＰｔｃｈ５３４を有する。パイロット・チャネルＰＣＨ５３６は、送信パワーＰｐｃｈ５３８を有する。ＡＣＫ／パワー制御チャネル５４０は、送信パワーＰａｃｋ５４２を有する。
【００７３】
端末ノードＢ５０２がトラフィック・チャネル・データ５１２をデコーディングする際にエラーを検出すると仮定して、端末ノードＢ５０２は、端末ノードＡ５００にＮＡＫ５４４を送る。
【００７４】
端末ノードＡ５００は、第３のタイム・ピリオドの間に端末ノードＢにスロットのグループＧ２  ５５０を送る。第３のタイム・ピリオドは、２Ｔｇ３２８から３Ｔｇ５５２までである。スロットのグループＧ２Ａ５５４は、トラフィック・チャネルＴＣＨ５５８のためのＭｔｃｈ個のスロット５５６を含む。トラフィック・チャネルＴＣＨ５５８は、送信パワーＰｔｃｈ５６０を有する。パイロット・チャネルＰＣＨ５６２は、送信パワーＰｐｃｈ５６４を有する。ＡＣＫ／パワー制御チャネル５６６は、送信パワーＰａｃｋ５６８を有する。
【００７５】
端末ノードＡ５００がトラフィック・チャネル・データ５３２をデコーディングする際にエラーを検出すると仮定して、端末ノードＡ５００は、端末ノードＢ５０２にＮＡＫ５７０を送る。
【００７６】
端末ノードＢ５０２は、第４のタイム・ピリオドの間に端末ノードＡ５００にスロットのグループＧ２Ｂ５７２を送る。第４のタイム・ピリオドは、３Ｔｇ５５２から４Ｔｇ５７４までである。スロットのグループＧ２Ｂ５７２は、トラフィック・チャネルＴＣＨ５７６のためのＭｔｃｈ個のスロット５７４を含む。パイロット・チャネルＰＣＨ５７８は、送信パワーＰｐｃｈ５８０を有する。トラフィック・チャネルＴＣＨ５７６は、送信パワーＰｔｃｈ５７７を有する。ＡＣＫ／パワー制御チャネル５８２は、送信パワーＰａｃｋ５８４を有する。
【００７７】
端末ノードＢ５０２がトラフィック・チャネル・データ５５８をデコーディングする際にエラーを検出すると仮定して、端末ノードＢ５０２は、端末ノードＡ５００にＮＡＫ５８６を送る。
【００７８】
端末ノードＡ５００は、第５のタイム・ピリオドの間に端末ノードＢにスロットのグループＧ３  ５８８を送る。第５のタイム・ピリオドは、４Ｔｇ５７４から５Ｔｇ５９０までである。スロットのグループＧ３Ａ５９２は、トラフィック・チャネルＴＣＨ５９６のためのＭｔｃｈ個のスロット５９４を含む。トラフィック・チャネルＴＣＨ５９６は、送信パワーＰｔｃｈ５９８を有する。パイロット・チャネルＰＣＨ６００は、送信パワーＰｐｃｈ６０２を有する。ＡＣＫ／パワー制御チャネル６０４は、送信パワーＰａｃｋ６０６を有する。
【００７９】
端末ノードＡ５００がトラフィック・チャネル・データ５７６をデコーディングする時にエラーを検出しないと仮定して、端末ノードＡ５００は、端末ノードＢ５０２にＡＣＫ６０８を送る。
【００８０】
端末ノードＡ５００が端末ノードＢ５０２にＡＣＫ６０８を送るので、端末ノードＢ５０２は、次のタイム・ピリオドの間に端末ノードＡ５００にトラフィック・データを送らない。その結果、そのピリオドにおいて端末ノードＢ５０２が、端末ノードＡからのＮＡＫを受け取った場合にトラフィック・データを送るが、ＡＣＫが受け取られる時に何のトラフィックも送られない時間のピリオドは、干渉のないピリオド６１０である。端末ノードＢ５０２から端末ノードＡ５００に何のトラフィック・データも送られない、これは干渉のないピリオド６１０の間に他の端末に対して干渉を与えることがある。
【００８１】
端末ノードＢ５０２は、第６のタイム・ピリオドの間に端末ノードＡ３００にスロットのグループＧ３Ｂ６１２を送る。第６のタイム・ピリオドは、５Ｔｇ５９０から６Ｔｇ６１４までである。スロットのグループＧ３Ｂ６１２は、Ｍｔｃｈスロット６１６を含む。パイロット・チャネルＰＣＨ６１８は、送信パワーＰｐｃｈ６２０を有する。ＡＣＫ／パワー制御チャネル６２２は、送信パワーＰａｃｋ６２４を有する。
【００８２】
端末ノードＢ５０２がトラフィック・チャネル・データ５９６をデコーディングする時にエラーを検出しないと仮定して、端末ノードＢ５０２は、端末ノードＢ５０２にＡＣＫ６２６を送る。
【００８３】
本明細書中に開示された実施形態に関連して述べられた、各種の実例となる複数の論理ブロック、モジュール、及び回路は、汎用プロセッサ、ディジタル・シグナル・プロセッサ（ＤＳＰ：digital signal processor）、用途特定集積回路（ＡＳＩＣ：application specific integrated circuit）、フィールド・プログラマブル・ゲートアレイ（ＦＰＧＡ：field programmable gate array）又はその他のプログラマブル論理デバイス、ディスクリート・ゲート論理回路又はトランジスタ論理回路、ディスクリート・ハードウェア素子、又は本明細書中に説明された機能を実行するために設計されたこれらのいずれかの組み合わせで、与えられる又は実行されることができる。汎用プロセッサは、マイクロプロセッサであり得るが、しかし代わりに、プロセッサは、いずれかの従来型のプロセッサ、コントローラ、マイクロコントローラ、又はステート・マシン(state machine)であり得る。プロセッサは、同様に演算デバイスの組み合わせとして与えられることができる。例えば、ＤＳＰとマイクロプロセッサとの組み合わせ、複数のマイクロプロセッサの組み合わせ、ＤＳＰコアとともに１又はそれより多くのマイクロプロセッサの組み合わせ、又はいずれかの他のそのような構成の組み合わせであり得る。
【００８４】
本明細書中に開示された実施形態に関連して説明された方法又はアルゴリズムは、ハードウェアにおいて、プロセッサによって実行されるソフトウェア・モジュールにおいて、又は両者の組み合わせにおいて直接実現されることができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、脱着可能なディスク、ＣＤ−ＲＯＭ、又は、この技術において公知のいずれかのその他の形式の記憶媒体の中に常駐できる。ある記憶媒体は、プロセッサがその記憶媒体から情報を読み出し、そしてそこに情報を書き込めるようにプロセッサに接続されることができる。代わりのものでは、記憶媒体は、プロセッサに集積されることができる。プロセッサ及び記憶媒体は、１個のＡＳＩＣ中に常駐できる。ＡＳＩＣは、端末中に又はほかの場所に常駐できる。代わりのものでは、プロセッサ及び記憶媒体は、端末中に又はほかの場所に単体素子として常駐できる。
【００８５】
開示された実施形態のこれまでの説明は、本技術に知識のあるいかなる者でも、本発明を作成する又は使用することを可能にするために提供される。これらの実施形態への各種の変形は、当業者に容易に明らかであろう。そして、ここで規定された一般的な原理は、本発明の精神又は範囲から逸脱することなく、その他の実施形態に適用されることができる。それゆえ、本発明は、本明細書中に示された複数の実施形態に制限されるように意図されたものではなく、本明細書中に開示した原理及び新規な機能と整合する最も広い範囲に適用されるものである。
【図面の簡単な説明】
【００８６】
【図１】図１は、ネットワークにおいて使用されることができる端末を図示する。
【図２】図２は、１個のグループとして構成されたメッセージ、及び時間分割マルチプレックスされた（ＴＤＭ）システムのために２個のグループとして構成された同じメッセージを示す。
【図３】図３は、チャネルの時間分割マルチプレキシングを採用する実施形態にしたがって端末ノードＢと通信している端末ノードＡを示す。
【図４】図４は、１個のグループとして構成されたメッセージ、及びコード分割マルチプレックスされた（ＣＤＭ）システムのために２個のグループとして構成された同じメッセージを示す。
【図５】図５は、チャネルのコード分割マルチプレキシングを採用する実施形態にしたがって端末ノードＢと通信している端末ノードＡを示す。
【符号の説明】
【００８７】
２０２…１個のグループとして構成されたメッセージ，２０４…２個のグループとして構成されたメッセージ，２１２…メッセージのグループ，２１４…メッセージのグループ，４０２…１個のグループとして構成されたメッセージ，４０４…２個のグループとして構成されたメッセージ，４３０…メッセージのグループ，４３２…メッセージのグループ。
【図１】
2007526724.tif 000003
【図２】
2007526724.tif 000004
【図３】
2007526724.tif 000005
【図４】
2007526724.tif 000006
【図５】
2007526724.tif 000007
【国際調査報告】
2007526724.tif 000008
2007526724.tif 000009
2007526724.tif 000010
2007526724.tif 000011
2007526724.tif 000012